(57)【特許請求の範囲】
【請求項１】
駆動手段を点火する点火装置（１８）を有して駆動手段によって駆動される打ち込み機構（１２）と、駆動手段を収納する駆動手段容器（２０）の収容部（１５）とを具える燃焼爆発力駆動式の鋲打ち機において、
前記収容部（１５）に駆動手段容器（２０）を検出する検出装置（３０）を設け、この検出装置（３０）は、駆動手段容器（２０）の不在を検出する際には点火装置（１８）による駆動手段の点火を阻止し、駆動手段容器（２０）の存在を検出する際には点火装置（１８）による駆動手段の点火を許可する構成としたことを特徴とする燃焼爆発力駆動式の鋲打ち機。
【請求項２】
検出装置（３０）にスイッチ手段（３１）を設け、前記収容部（１５）に駆動手段容器（２０）の不在を検出する際には点火電流回路（１９）を開いて遮断し、収容部（１５）に駆動手段容器（２０）の存在を検出する際には点火電流回路（１９）を閉成する請求項１記載の燃焼爆発力駆動式の鋲打ち機。
【請求項３】
検出装置（３０）は、センサ（３２）を有するものとして構成した請求項１または２記載の燃焼爆発力駆動式の鋲打ち機。
【請求項４】
前記センサは、ホール効果センサ、容量センサ、遮光センサのうちのいずれかにより構成した請求項３記載の燃焼爆発力駆動式の鋲打ち機。
【請求項５】
前記検出装置（３０）を押しボタンスイッチ（３３）により構成した請求項１または２記載の燃焼爆発力駆動式の鋲打ち機。
【請求項６】
前記検出装置（３０）のセンサ（３２）および押しボタン（３３）のうちの少なくとも一方を収容部（１５）の領域に設けた請求項１乃至５のうちのいずれか一項に記載の燃焼爆発力駆動式の鋲打ち機。
【請求項７】
駆動手段を収容するための内部空間（２２）を有する容器ハウジング（２１）により構成した請求項１乃至６のうちのいずれか一項に記載の燃焼爆発力駆動式鋲打ち機のための駆動手段容器において、
鋲打ち機（１０）の検出装置（３０）の検出能力を向上させる検出補助手段（２４）を容器に配置したことを特徴とする燃焼爆発力駆動式鋲打ち機のための駆動手段容器。
【請求項８】
前記検出補助手段（２４）を永久磁石とした請求項７記載の燃焼爆発力駆動式鋲打ち機のための駆動手段容器。
【発明の詳細な説明】
【技術分野】
【０００１】
本発明は、駆動手段を点火する点火装置を有して駆動手段によって駆動される打ち込み機構と、駆動手段を収納する駆動手段容器の収容部とを具える燃焼爆発力駆動式の鋲打ち機、並びにこの鋲打ち機のための駆動手段容器に関するものである。
【背景技術】
【０００２】
従来、作動サイクル毎にガスを放出するバルブを開き、駆動手段容器から燃焼物質を蓄積空間に送り込むようにした燃焼爆発力駆動式の鋲打ち機がある。（例えば、特許文献１参照。）この蓄積空間から点火動作のため燃焼室に燃焼物質が送り込まれる。この場合、駆動手段容器は、液化ガスの爆薬薬筒として構成し、鋲打ち機の収容部に交換可能に配置する。
【特許文献１】独国特許公開第４２４３６１７号公報
【発明の開示】
【発明が解決しようとする課題】
【０００３】
しかし、このような従来の駆動手段容器は、鋲打ち機から駆動手段容器を取り外したときにも、蓄積空間内に燃焼物質が存在し、したがって、駆動手段容器の不在により、ユーザーは鋲打ち機が動作することはないと思っても、不慮に打ち込み動作が行われる恐れがある。
【０００４】
したがって、本発明の目的は、既知の鋲打ち機の上述の欠点がない、不慮の打ち込み動作を回避することができる燃焼爆発力駆動式の鋲打ち機、並びにこの鋲打ち機のための駆動手段容器を得るにある。
【課題を解決するための手段】
【０００５】
この目的を達成するため、本発明は、駆動手段を点火する点火装置を有して駆動手段によって駆動される打ち込み機構と、駆動手段を収納する駆動手段容器の収容部とを具える燃焼爆発力駆動式の鋲打ち機において、前記収容部に駆動手段容器を検出する検出装置を設け、この検出装置は、駆動手段容器の不在を検出する際には点火装置による駆動手段の点火を阻止し、駆動手段容器の存在を検出する際には点火装置による駆動手段の点火を許可する構成としたことを特徴とする。
【発明の効果】
【０００６】
本発明によれば、このような点火機構の封鎖によって、鋲打ち機内に残存する駆動手段もしくは燃焼ガスが不慮に点火されることがなくなる。
【発明を実施するための最良の形態】
【０００７】
本発明の好適な実施例においては、検出装置にスイッチ手段を設け、収容部に駆動手段容器の不在を検出する際には点火電流回路を開いて遮断し、収容部に駆動手段容器の存在を検出する際には点火電流回路を閉成する。この構成によれば、点火機構もしくは寸暇装置の遮断が極めて迅速に行われ、かつ故障を起こしにくくなる。
【０００８】
検出装置は、センサを有するものとして構成すると好適である。この構成によれば、駆動手段容器の有無が、非接触で簡単、かつ信頼性高く行うことができる。このセンサは、ホール効果センサ、容量センサ、遮光センサのうちのいずれかにより構成することができる。
【０００９】
他の好適な実施例においては、検出装置を、押しボタンスイッチにより構成し、この場合、収容部に駆動手段容器が存在するとき、この押しボタンスイッチが駆動手段容器によって進退する。この構成によれば、製造コストが比較的安価となる。
【００１０】
好適には、検出装置のセンサおよび押しボタンのうちの少なくとも一方を収容部の領域に設ける。この構成によれば、失敗のない検出が可能となる。
【００１１】
本発明の好適な実施例によれば、燃焼物質圧力容器のような駆動手段容器に、検出装置が認識し易い検出補助手段を設ける。このような検出補助手段は、例えば、永久磁石によって構成し、この場合、検出装置のセンサとしてホールセンサを使用すると、駆動手段容器に対する良好な検出能力が保証される。
【００１２】
次に、図面につき本発明の好適な実施例を説明する。
【実施例１】
【００１３】
図１〜図３に、駆動手段として液状もしくはガス状の燃焼物質で駆動する本発明による鋲打ち機１０を示し、駆動手段容器２０を有する。この鋲打ち機１０は、図示のように形成したグリップ１６を設けたハウジング１１を有し、このグリップ１６に作動スイッチ１７を設け、この作動スイッチにより打ち込み作業を作動させることができる。この打ち込み機１０には、さらに、打ち込み機構１２を設け、この打ち込み機構１２は、ピストン案内１４もしくはシリンダ内で移動自在に案内される駆動ピストン１３と、ピストン案内１４に連続する燃焼室３８を設ける。鋲打ち機１０の収容部１５に駆動手段容器２０を交換可能に配置し、図示の実施例ではこのホルダを、圧力容器として構成する。この駆動手段容器２０は、燃焼物質導管２９を介して注入装置２５に接続し、この注入装置２５は、例えば、第１弁手段２６および第２弁手段２８と、これら弁手段間に配置したチャンバ２７とにより構成する。燃焼物質導管２９を介して、注入装置２５は、さらに、燃焼室３８に接続し、駆動手段容器２０から燃焼物質導管２９および注入装置２５を経て、駆動手段もしくは燃焼物質を鋲打ち機１０の燃焼室３８に放出できるようにする。燃焼室３８には点火装置１８を配置し、燃焼室３８ないに存在する空気‐駆動手段混合気を点火できるようにする。
【００１４】
全体的に参照符号３０で示す検出装置を、図示の実施例ではホールセンサとしてのセンサ３２と、例えば、電子スイッチとしてのスイッチ手段３１とにより構成する。このセンサ３２は、収容部１５に配置し、この収容部１５から部分的に突出させる。スイッチ手段３１は、センサの一部として構成するか、もしくは図１および図２の実施例に示すように個別の部分として構成することができる。スイッチ手段３１は、点火電流回路１９を切り替え、この点火電流回路１９を閉成したり、中断させたりすることができる。
【００１５】
圧力容器として構成した駆動手段容器２０は容器ハウジング２１を有し、この容器ハウジング２１内の内部空間２２にガス状及び／又は液状の燃焼材料、例えば、液化ガスを収容する。図１〜図３に示す駆動手段容器２０は、鋲打ち機１０の燃焼材料導管２９に接続する接続部側に、永久磁石として構成した検出補助手段２４を設ける。この永久磁石としての検出補助手段２４は、ホールセンサとして構成した鋲打ち機１０の検出装置と連係動作する。この検出補助手段２４により、収容部１５内に存在する駆動手段容器２０は、検出装置３０によって認識され、図１に検出装置３０のスイッチ手段３１で示したように点火電流回路１９を閉成し、鋲打ち機１０を基礎構造に押し込んだとき、作動スイッチ１７によって点火装置１８の点火を動作させることができる。
【００１６】
図２には、鋲打ち機１０の収容部１５内に駆動手段容器を装填しておらず、燃焼材料導管が閉鎖している状態を示す。しかし、それでも燃焼材料導管２９内、および、とくに、チャンバ２７を有する注入装置２５内には駆動手段が存在する。ただし、センサ３２によって、駆動手段容器が収容部１５内に存在しないことを検出してスイッチ手段３１が点火電流回路を遮断する。したがって、鋲打ち機１０の不慮の動作を不能にする。
【実施例２】
【００１７】
図４に一部切除して部分的に断面を示した鋲打ち機は、単にその部分だけが上述の実施例と異なる他の第２実施例を示し、この実施例においては、検出装置３０は、センサおよびスイッチ手段の代わりに、点火電流回路１９に直接一体に組み込んだ押しボタンスイッチ３３として構成する。この押しボタンスイッチ３３によって、駆動手段容器２０の存在を純機械的に判定し、収容部１５内に駆動手段容器２０が存在しない場合には、点火電流回路１９を遮断する。鋲打ち機の他の機能的説明に関しては、図１〜図３の実施例における説明と完全に同一である。
【実施例３】
【００１８】
図５における部分的に断面を示した鋲打ち機は、単にその部分だけが上述の実施例と異なる他の第３実施例を示し、この実施例においては、検出装置３０を、ホールセンサの代わりに、容量センサもしくは遮光センサとして構成したセンサ３２を設ける。この容量センサもしくは遮光センサ３２を、図１〜図３につき既に説明したように、スイッチ手段に接続する。収容部１５内に駆動手段容器２０が存在しない場合には、センサ３２からの容量電界が変化する。これにより、検出装置は、点火電流回路のスイッチ手段を遮断し、鋲打ち機の動作を不能にする。鋲打ち機の他の機能的説明に関しては、図１〜図３の実施例における説明と完全に同一である。
【図面の簡単な説明】
【００１９】
【図１】本発明による第１実施例の鋲打ち機の収容部内に駆動手段容器が存在した状態の一部断面とする側面図である。
【図２】本発明による第１実施例の鋲打ち機の収容部内に駆動手段容器が存在しない状態の一部断面とする側面図である。
【図３】収容部内に駆動手段容器が存在した状態の鋲打ち機の第１実施例の部分断面図である。
【図４】本発明による第２実施例の鋲打ち機の収容部に駆動手段容器が存在した状態の部分断面図である。
【図５】本発明による第３実施例の鋲打ち機の収容部に駆動手段容器が存在した状態の部分断面図である。
【符号の説明】
【００２０】
１０  鋲打ち機
１１  ハウジング
１２  打ち込み機構
１３  駆動ピストン
１４  ピストン案内
１５  収容部
１６  グリップ
１７  作動スイッチ
１８  点火装置
１９  点火電流回路
２０  駆動手段容器
２１  容器ハウジング
２２  内部空間
２５  注入装置
２４  検出補助手段
２６  第１弁手段
２７  チャンバ
２８  第２弁手段
２９  燃焼材料導管
３０  検出装置
３１  スイッチ手段
３２  センサ
３３  押しボタンスイッチ
３８  燃焼室
【図１】
0004698280.tif 000002
【図２】
0004698280.tif 000003
【図３】
0004698280.tif 000004
【図４】
0004698280.tif 000005
【図５】
0004698280.tif 000006